(57)【要約】【課題】  再生装置に格納されている文字フォントデータに対応しない付加情報であっても、再生装置の表示部によって適正に表示することができる「再生システムおよび再生装置ならびに再生方法」を提供すること。【解決手段】  記録媒体２に記録された付加情報のうち、表示部４により表示することができない付加情報を抽出し、この抽出した付加情報に対応するデータであって前記表示部４により表示可能なデータである表示データを作成する表示データ作成手段７，８，９，１０と、この表示データ作成手段７，８，９，１０によって作成された表示データを前記記録媒体２に記録する記録手段１２とを備えたこと。【選択図】      図１
2005276256.tif 000002
【特許請求の範囲】
【請求項１】
記録媒体に記録された音声情報を再生可能とされるとともに、前記記録媒体に前記音声情報に付随して記録された付加情報を再生して表示部に表示可能とされた再生装置を備えた再生システムであって、
前記記録媒体に記録された付加情報のうち、前記表示部に表示することができない付加情報を抽出し、この抽出した付加情報に対応するデータであって前記表示部に表示可能なデータである表示データを作成する表示データ作成手段と、
この表示データ作成手段によって作成された表示データを前記記録媒体に記録する記録手段と
を備えたことを特徴とする再生システム。
【請求項２】
記録媒体に記録された音声情報を再生可能とされるとともに、前記記録媒体に前記音声情報に付随して記録された付加情報を再生して表示部に表示可能とされた再生装置を備えた再生システムであって、
前記再生装置は、
前記記録媒体に記録された付加情報のうち、前記表示部に表示することができない付加情報を抽出する抽出手段と、
この抽出手段によって抽出された付加情報をサーバに通知する通知手段と
を備え、
前記サーバは、
前記通知手段によって通知された付加情報に対応するデータであって前記表示部に表示可能なデータである表示データを作成するとともに、この作成した表示データを前記再生装置に送信するように形成されていること
を特徴とする再生システム。
【請求項３】
前記表示データがビットマップデータであることを特徴とする請求項１または請求項２に記載の再生システム。
【請求項４】
記録媒体に記録された音声情報を再生可能とされるとともに、前記記録媒体に前記音声情報に付随して記録された付加情報を再生して表示部に表示可能とされた再生装置であって、
前記記録媒体に記録された付加情報のうち、前記表示部に表示することができない付加情報を抽出する抽出手段と、
この抽出手段によって抽出された付加情報をサーバに通知する通知手段とを備え、
前記通知手段によって前記サーバに通知された付加情報に基づいて前記サーバによって作成された前記付加情報に対応する前記表示部に表示可能なデータである表示データを、前記サーバから受信可能に形成されていることを特徴とする再生装置。
【請求項５】
前記表示データが、ビットマップデータであることを特徴とする請求項４に記載の再生装置。
【請求項６】
記録媒体に記録された音声情報を再生装置によって再生する際に、前記音声情報に付随して記録された付加情報を再生して前記再生装置の表示部に表示する再生方法であって、
前記記録媒体に記録された付加情報のうち、前記表示部に表示することができない付加情報を抽出するとともに、この抽出した付加情報に対応するデータであって前記表示部に表示可能なデータである表示データを作成し、
次いで、この作成した表示データを前記記録媒体に記録し、
この表示データを記録した記録媒体の音声情報を再生する際に、前記表示データを再生して表示部に表示することを特徴とする再生方法。
【請求項７】
記録媒体に記録された音声情報を再生装置によって再生する際に、前記音声情報に付随して記録された付加情報を再生して前記再生装置の表示部に表示する再生方法であって、
前記記録媒体に記録された付加情報のうち、前記表示部に表示することができない付加情報を抽出し、
次いで、当該抽出した付加情報をサーバに通知し、
次いで、当該通知した付加情報に対応するデータであって前記表示部に表示可能なデータである表示データを前記サーバにおいて作成し、この作成した表示データを前記再生装置に送信し、
この送信した表示データを前記再生装置の表示部によって表示することを特徴とする再生方法。
【請求項８】
前記表示データをビットマップデータとすることを特徴とする請求項６または請求項７に記載の再生方法。
【発明の詳細な説明】
【技術分野】
【０００１】
本発明は、再生システムおよび再生装置ならびに再生方法に係り、特に、記録媒体に記録された音声情報を再生する際に、当該記録媒体に音声情報に付随して記録された付加情報を再生して表示部に表示するのに好適な再生システムおよび再生装置ならびに再生方法に関する。
【背景技術】
【０００２】
近年、車載用のオーディオ機器等の再生装置においては、ＭＰ３やＷＭＡ等の圧縮フォーマットの音楽ファイルが広く用いられるようになっている。
【０００３】
この種の音楽ファイルには、ＩＤ３タグと称される音声情報についての付加情報を格納する領域が確保されており、付加情報として、通常は、曲名等が文字情報として記入されるようになっている。
【０００４】
このような音楽ファイルの音声情報を再生する場合、当該音声情報に付随する付加情報が再生装置に備えられた表示部によって表示されることになり、ユーザは、再生される音楽についての曲名等を知ることができる。
【０００５】
表示部における表示の態様には、種々のものがあり、例えば、図８のようなドット型の表示部においては、図９に示すようなドットキャラクタ表示がなされ、また、図１０に示すようなセグメント型の表示部においては、図１１に示すようなセグメントキャラクタ表示がなされるようになっている。
【０００６】
【特許文献１】特開平１０−１１６４６８号公報
【発明の開示】
【発明が解決しようとする課題】
【０００７】
ところで、このような付加情報の中には、例えば、ＩＤ３のＶｅｒ．２のように、曲名等の文字コードを半ば任意に加工することができるものもある。
【０００８】
その場合、例えば、曲名等の文字がＵＮＩＣＯＤＥでハングル文字やアラビア文字等で格納されていた場合、英数字、漢字および平仮名にのみ対応することができる再生装置の表示部では、当該文字を表示することができない。
【０００９】
したがって、そのような場合は、「Ｎｏ−Ｓｕｐｐｏｒｔｅｄ」等の表示を行うことによって、曲名等を表示することができない旨をユーザに通知するようになっていた。
【００１０】
また、付加情報の文字自体が漢字であったとしても、その漢字が再生装置に格納されている漢字フォントデータ以外の漢字コードの場合、やはり表示することができなかった。
【００１１】
従って、従来は、再生装置に格納されている文字フォントデータに対応しない付加情報については、表示部により適正に表示することができないといった問題が生じていた。
【００１２】
そこで、本発明は、このような問題点に鑑みなされたものであり、記録媒体に記録されている付加情報が、再生装置に格納されている文字フォントデータに対応しない付加情報であっても、これに代替する等価の情報を再生装置の表示部によって適正に表示することができる再生システムおよび再生方法を提供することを目的とするものである。
【課題を解決するための手段】
【００１３】
前述した目的を達成するため、本発明に係る再生システムの特徴は、記録媒体に記録された音声情報を再生可能とされるとともに、前記記録媒体に前記音声情報に付随して記録された付加情報を再生して表示部に表示可能とされた再生装置を備えた再生システムであって、前記記録媒体に記録された付加情報のうち、前記表示部に表示することができない付加情報を抽出し、この抽出した付加情報に対応するデータであって前記表示部に表示可能なデータである表示データを作成する表示データ作成手段と、この表示データ作成手段によって作成された表示データを前記記録媒体に記録する記録手段とを備えた点にある。
【００１４】
そして、このような構成によれば、記録媒体に格納されている付加情報が、再生装置の表示部に表示することができないものであっても、この付加情報に対応した表示データを表示データ作成手段によって作成するとともに、この作成した表示データを記録手段によって記録媒体に記録することができる。
【００１５】
この結果、前記表示データが記録された記録媒体の音声情報を再生装置によって再生する際には、前記表示部によって表示することができない付加情報に代替する表示データを表示部によって適正に表示することが可能となる。
【００１６】
また、このような表示データを記録媒体に直接記録することによって、再生装置側に表示データを格納するためのメモリ容量を確保する必要がないため、再生装置のコストダウンを図ることが可能となる。
【００１７】
さらに、表示データ作成手段のアップグレードにともなって記録媒体に記録することができる表示データを増加させることができ、従来においては表示することが叶わなかったより多くの付加情報を、これに代替する表示データとして適正に表示することができる。
【００１８】
また、本発明に係る再生システムの特徴は、記録媒体に記録された音声情報を再生可能とされるとともに、前記記録媒体に前記音声情報に付随して記録された付加情報を再生して表示部に表示可能とされた再生装置を備えた再生システムであって、前記再生装置が、前記記録媒体に記録された付加情報のうち、前記表示部に表示することができない付加情報を抽出する抽出手段と、この抽出手段によって抽出された付加情報をサーバに通知する通知手段とを備え、前記サーバが、前記通知手段によって通知された付加情報に対応するデータであって前記表示部に表示可能なデータである表示データを作成するとともに、この作成した表示データを前記再生装置に送信するようにされている点にある。
【００１９】
そして、このような構成によれば、記録媒体に格納されている付加情報が、再生装置の表示部に表示することができないものであっても、この付加情報に対応した表示データをサーバによって作成するとともに、この作成した表示データを再生装置に送信することができる。
【００２０】
この結果、記録媒体の音声情報を再生装置で再生する際には、前記表示部によって表示することができない付加情報に代替する表示データを表示部によって適正に表示することが可能となる。
【００２１】
また、サーバ側のアップグレードにともなって再生装置に送信することができる表示データを増加させることができ、より多くの付加情報を、これに代替する表示データとして適正に表示することができる。特に、記録媒体を再生する時点における最新の表示データをサーバからリアルタイムに取得することもできるため、さらに多くの表示データを表示させることができる。
【００２２】
さらに、表示データを格納するための領域を記録媒体に確保することを要しないため、記録媒体が読み出し専用のものであっても表示データを適正に表示することが可能となる。
【００２３】
さらに、本発明に係る再生システムの特徴は、前記表示データがビットマップデータである点にある。
【００２４】
そして、このような構成によれば、簡便な手法によって、表示データを作成することが可能となる。
【００２５】
さらにまた、本発明に係る再生装置の特徴は、記録媒体に記録された音声情報を再生可能とされるとともに、前記記録媒体に前記音声情報に付随して記録された付加情報を再生して表示部に表示可能とされた再生装置であって、
【００２６】
前記記録媒体に記録された付加情報のうち、前記表示部に表示することができない付加情報を抽出する抽出手段と、この抽出手段によって抽出された付加情報をサーバに通知する通知手段とを備え、前記通知手段によって前記サーバに通知された付加情報に基づいて前記サーバによって作成された前記付加情報に対応する前記表示部に表示可能なデータである表示データを、前記サーバから受信可能に形成されている点にある。
【００２７】
そして、このような構成によれば、記録媒体に格納されている付加情報が、再生装置の表示部に表示することができないものであっても、この付加情報に対応した表示データをサーバから受信することができる。
【００２８】
この結果、記録媒体の音声情報を再生装置で再生する際には、前記表示部によって表示することができない付加情報に代替する表示データを表示部によって適正に表示することが可能となる。
【００２９】
また、サーバ側のアップグレードにともなってサーバから受信することができる表示データを増加させることができ、より多くの付加情報を、これに代替する表示データとして表示することができる。特に、記録媒体を再生する時点における最新の表示データをサーバからリアルタイムに取得することもできるため、さらに多くの表示データを表示させることができる。
【００３０】
さらに、表示データを格納するための領域を記録媒体に確保することを要しないため、記録媒体が読み出し専用のものであっても表示データを適正に表示することが可能となる。
【００３１】
また、本発明に係る再生装置の特徴は、前記表示データが、ビットマップデータである点にある。
【００３２】
そして、このような構成によれば、簡便な手法によって、表示データを作成することが可能となる。
【００３３】
さらに、本発明に係る再生方法の特徴は、記録媒体に記録された音声情報を再生装置によって再生する際に、前記音声情報に付随して記録された付加情報を再生して前記再生装置の表示部に表示する再生方法であって、前記記録媒体に記録された付加情報のうち、前記表示部に表示することができない付加情報を抽出するとともに、この抽出した付加情報に対応するデータであって前記表示部に表示可能なデータである表示データを作成し、次いで、この作成した表示データを前記記録媒体に記録し、この表示データを記録した記録媒体の音声情報を再生する際に、前記表示データを再生して表示部に表示する点にある。
【００３４】
そして、このような方法によれば、記録媒体に格納されている付加情報が、表示部に表示することができないものであっても、この付加情報に対応した表示データを作成するとともに、この作成した表示データを記録媒体に記録することができる。
【００３５】
この結果、前記表示データが記録された記録媒体の音声情報を再生装置で再生する際には、前記表示部によって表示することができない付加情報に代替する表示データを表示部によって適正に表示することが可能となる。
【００３６】
また、このような表示データを記録媒体に直接記録することによって、再生装置側に表示データを格納するためのメモリ容量を確保する必要がないため、再生装置のコストダウンを図ることが可能となる。
【００３７】
さらに、表示データ作成手段のアップグレードにともなって記録媒体に記録することができる表示データを増加させることができ、より多くの付加情報を、これに代替する表示データとして表示することができる。
【００３８】
さらにまた、本発明に係る再生方法の特徴は、記録媒体に記録された音声情報を再生装置によって再生する際に、前記音声情報に付随して記録された付加情報を再生して前記再生装置の表示部に表示する再生方法であって、前記記録媒体に記録された付加情報のうち、前記表示部に表示することができない付加情報を抽出し、次いで、当該抽出した付加情報をサーバに通知し、次いで、当該通知した付加情報に対応するデータであって前記表示部に表示可能なデータである表示データを前記サーバにおいて作成し、この作成した表示データを前記再生装置に送信し、この送信した表示データを前記再生装置の表示部によって表示する点にある。
【００３９】
そして、このような方法を採用したことにより、記録媒体に格納されている付加情報が、再生装置の表示部に表示することができないものであっても、この付加情報に代替する表示データをサーバによって作成することができる。
【００４０】
そして、記録媒体の音声情報を再生装置で再生する際には、前記表示部によって表示することができない付加情報に代替する表示データを前記サーバから前記再生装置に送信することによって、この表示データを表示部によって適正に表示することが可能となる。
【００４１】
また、サーバのアップグレードにともなって再生装置に送信することができる表示データを増加させることができ、より多くの付加情報を、これに代替する表示データとして表示することができる。特に、記録媒体を再生する時点における最新の表示データをサーバからリアルタイムに取得することもできるため、さらに多くの表示データを表示させることができる。
【００４２】
さらに、本発明に係る再生方法の特徴は、前記表示データをビットマップデータとすることを特徴とする点にある。
【００４３】
そして、このような方法によれば、簡便な方法によって、表示データを作成することが可能となる。
【発明の効果】
【００４４】
本発明に係る再生システムによれば、再生装置に格納されている文字フォントデータに対応しない付加情報であっても、再生装置の表示部によって適正に表示することができ、あわせて、再生装置に確保すべき表示データのメモリ容量を低減してコストダウンを図ることができる。また、表示データ作成手段のアップグレードにともなって、表示することができる表示データをさらに増加させることができる。
【００４５】
また、本発明に係る再生システムによれば、再生装置に格納されている文字フォントデータに対応しない付加情報であっても、再生装置の表示部によって適正に表示することができる。また、サーバのアップグレードにともなって、表示することができる表示データをさらに増加させることができる。さらに、より多用な記録媒体について、付加情報に代替する表示データを適正に表示することができる。
【００４６】
さらに、本発明に係る再生システムによれば、付加情報に代替する表示データを表示部により適正に表示することができる再生システムをより安価に得ることができる。
【００４７】
さらにまた、本発明に係る再生装置によれば、再生装置に格納されている文字フォントデータに対応しない付加情報であっても、再生装置の表示部によって適正に表示することができる。また、サーバのアップグレードにともなって、表示することができる表示データをさらに増加させることができる。さらに、より多用な記録媒体について、付加情報に代替する表示データを適正に表示することができる。
【００４８】
さらにまた、本発明に係る再生装置によれば、付加情報に代替する表示データを表示部により適正に表示することができる再生装置をさらに低廉なコストによって実現することができる。
【００４９】
さらにまた、本発明に係る再生方法によれば、再生装置に格納されている文字フォントデータに対応しない付加情報であっても、再生装置の表示部によって適正に表示することができ、あわせて、再生装置に確保すべき表示データのメモリ容量を低減してコストダウンを図ることができる。また、表示データ作成手段のアップグレードにともなって、表示することができる表示データをさらに増加させることができる。
【００５０】
また、本発明に係る再生方法によれば、再生装置に格納されている文字フォントデータに対応しない付加情報であっても、再生装置の表示部によって適正に表示することができる。また、サーバのアップグレードにともなって、表示することができる表示データをさらに増加させることができる。さらに、より多用な記録媒体について、付加情報に代替する表示データを適正に表示することができる。
【００５１】
さらに、本発明に係る再生方法によれば、付加情報に代替する表示データを表示部により適正に表示することができる再生方法をより低廉なコストによって実現することができる。
【発明を実施するための最良の形態】
【００５２】
以下、本発明に係る再生システムの第１実施形態について、図１乃至図３を参照して説明する。
【００５３】
図１に示すように、本実施形態における再生システム１は、記録媒体２に記録された音楽ファイルの再生を行う再生装置３と、再生装置３の表示部４によって表示することができない付加情報に対応する表示データの作成および記録を行うＰＣ等のコンピュータ５とによって構成されている。
【００５４】
コンピュータ５は、記録媒体２に記録された音楽ファイルの情報を取得可能とされている。具体的な例としては、コンピュータ５がＣＤ−ＲＯＭドライブであれば、記録媒体２としてのＣＤを搭載することによってこのＣＤの情報を取得することができる。
【００５５】
また、コンピュータ５が、記録媒体２としてのＨＤＤ（ハードディスクドライブ）やメモリカード等のメディアとのインターフェースを備えたＰＣであれば、これらの記録媒体２の情報をインターフェースを介して取得することができる。
【００５６】
なお、音楽ファイルには、音声情報と、ＩＤ３等の音声情報に付随する曲名等の付加情報とが格納されている。
【００５７】
コンピュータ５は、再生装置３の表示部４によって表示することができない付加情報に対応するデータであって、表示部４により表示可能なデータである表示データを作成するための表示データ作成手段を有している。
【００５８】
本実施形態において、表示データ作成手段は、表示データ作成プログラム７と、この表示データ作成プログラム７が格納されたプログラム格納部８と、表示データ作成プログラム７を実行するためのＣＰＵやＭＰＵ等の制御部９と、表示データ作成プログラム７の実行によって作成された表示データを一時的に格納する表示データ格納部１０とによって構成されている。
【００５９】
表示データ作成プログラム７は、まず、記録媒体２に記録された音楽ファイルの内容を解析し、音楽ファイルに格納された付加情報のうち、再生装置３の表示部４により表示することができない付加情報を抽出することを内容としている。
【００６０】
この抽出に際しては、例えば、再生装置３の表示部４によって表示可能なフォントデータの情報を図示しない記憶部に記憶させておき、この記憶部内のフォントデータを表示データ作成プログラム７に読み出させて記憶媒体２の付加情報との対比を行わせることによって、記憶媒体２の付加情報が表示部４によって表示することができるものか否かを判断させるようにしてもよい。
【００６１】
また、付加情報の抽出に際しては、付加情報が属する音楽ファイルの単位で抽出してもよいことは勿論である。
【００６２】
さらに、表示データ作成プログラム７は、抽出した付加情報に対応する表示データを作成することを内容としている。
【００６３】
これにより、記録媒体２に記録された付加情報が、再生装置３の表示部４により表示することができないものであっても、そのような付加情報に代替する表示データを作成することができるようになっている。
【００６４】
さらに、本実施形態において、表示データ作成プログラム７は、再生装置３の表示部４によって表示することができない付加情報に対応する表示データを、ビットマップデータとして作成することを内容としている。
【００６５】
これにより、図２および図３に示すように、表示部３によって表示することができない付加情報に対応する表示データを、ビットマップデータとして簡便に作成することができるようになっている。
【００６６】
さらに、制御部９には、記録手段としての記録部１２が接続されており、この記録部１２は、制御部９による制御によって、表示データ作成プログラム７に基づいて作成された表示データを表示データ格納部１０から読み出すとともに、この表示データを、音声情報との対応関係を持たせた状態で記録媒体２に記録するようになっている。
【００６７】
具体的には、例えば、表示データは、これが付随すべき音声情報の音楽ファイルと同一のファイル名とされ、拡張子のみがｂｍｐとされることによって、音楽ファイルを再生装置３で再生する際に、この音楽ファイルと同一のファイル名の表示データが当該音楽ファイルの音声情報に付随して再生されるように、音楽ファイルの音声情報との対応関係を持たせた状態で記録されるようになっている。
【００６８】
このように、記録媒体２に、表示部４によって表示することができない付加情報に代替する表示データを記録することができることによって、再生装置３において記録媒体２の音声情報を再生する際に、この音声情報に対応する表示データを表示部４によって適正に表示することができるようになっている。
【００６９】
また、このような表示データを記録媒体２に直接記録することによって、再生装置３側に表示データを格納するためのメモリ容量を確保する必要がないため、ひいては、再生装置３のコストダウンを図ることができるようになっている。
【００７０】
さらに、表示データ作成プログラム７のアップグレードにともなって記録媒体２に記録することができる表示データを増加させることができ、より多くの付加情報を、これに代替する表示データとして表示させることができるようになっている。
【００７１】
一方、再生装置３は、ＰＣや音楽プレイヤー等の再生装置本体１３を有しており、この再生装置本体１３には、記録媒体２が着脱可能に搭載されるようになっている。
【００７２】
再生装置本体１３には、ＣＰＵやＭＰＵ等の制御部１４が内蔵されており、この制御部１４は、記録媒体２に記録された情報の再生のための種々の制御を行うようになっている。
【００７３】
再生装置本体１３には、コントローラ・ドライバ１５が接続されており、このコントローラ・ドライバ１５は、再生装置本体１３の制御部１４の制御によって、表示部４を駆動するようになっている。
【００７４】
コントローラ・ドライバ１５には、フォントデータ格納メモリ１６が接続されており、このフォントデータ格納メモリ１６には、表示部４によって表示可能な付加情報のフォントデータが格納されている。
【００７５】
コントローラ・ドライバ１５には、表示部４が接続されており、この表示部４は、制御部１４によるコントローラ・ドライバ１５の駆動制御によって、音楽ファイルにおける音声情報に付随する付加情報を表示するようになっている。
【００７６】
すなわち、制御部１４は、音楽ファイルを記録媒体２から読み出す際に、音楽ファイルにおける音声情報に付随する付加情報が、表示部４によって表示することができるものか否かを、フォントデータ格納メモリ１６内のフォントデータを参照することによって判断するようになっている。
【００７７】
そして、制御部１４は、付加情報に対応するフォントデータがフォントデータ格納メモリ１６内に存在する場合は、その付加情報をコントローラ・ドライバ１５に出力する制御を行うようになっている。これによって、コントローラ・ドライバ１５は、当該フォントデータの文字フォントに従って付加情報を表示部４に表示させるようになっている。
【００７８】
一方、付加情報に対応するフォントデータがフォントデータ格納メモリ１６内に存在しない場合は、制御部１４は、付加情報が表示部４によって表示することができないものと判断するとともに、この付加情報に対応する表示データが記録媒体に記録されているか否かを検索する制御を行う。
【００７９】
そして、制御部１４は、付加情報に対応する表示データが検索された場合、この表示データをコントローラ・ドライバ１５に出力する制御を行うようになっている。これによって、コントローラ・ドライバ１５は、当該表示データを表示部４に表示させるようになっている。
【００８０】
また、付加情報に対応するフォントデータおよび表示データの双方が存在しない場合、制御部１４は、従来と同様に、「Ｎｏ−Ｓｕｐｐｏｒｔｅｄ」あるいはブランク文字を表示させるための制御をコントローラ・ドライバに対して行うことによって、付加情報を表示できないことをユーザに通知するようになっている。
【００８１】
さらに、制御部１４は、音声情報をスピーカ等の出力手段によって音声出力する制御を行うようになっている。
【００８２】
なお、上記構成において、表示データの作成および記録を行うコンピュータ５と、表示データが記録された記録媒体２の再生を行う再生装置３とは、別体とされているが、両者を一体の装置として構成するようにしてもよい。
【００８３】
そのようにすれば、装置に記録媒体２を搭載した状態で、表示データの作成および記録と、表示データの再生とを連続的に行うことも可能となる。
【００８４】
次に、本発明に係る再生方法の第１実施形態について、図４および図５を参照して説明する。
【００８５】
なお、本実施形態における再生方法は、図１に示した再生システム１を用いて行うこととする。
【００８６】
図４は、本実施形態の再生方法における表示データの作成・記録処理を示すフローチャートである。また、図５は、本実施形態の再生方法における図４の処理によって表示データが記録された記録媒体２を再生する再生処理を示すフローチャートである。
【００８７】
なお、初期状態において、コンピュータ５には、記録媒体２が搭載されているものとする。
【００８８】
そして、初期状態から、表示データの作成・記録処理を開始すると、図４のステップ１（ＳＴ１）に示すように、記録媒体２に付加情報としてのＩＤ３−ＴａｇのＴａｇデータが存在するか否かを判断し、存在する場合はステップ２（ＳＴ２）に進み、存在しない場合は処理を終了する。
【００８９】
次いで、ステップ２（ＳＴ２）において、制御部９の制御によって、記録媒体２からＴａｇデータを読み込む。
【００９０】
次いで、ステップ３（ＳＴ３）においては、制御部９によってプログラム格納部８から表示データ作成プログラム７を読み出すとともに、この表示データ作成プログラム７を実行することによって、ステップ２（ＳＴ２）において読み込まれたＴａｇデータが再生装置３の表示部４によって表示可能な文字であるか否かを解析する。
【００９１】
そして、表示可能な文字である場合は、処理を終了し、表示不可能な文字である場合は、ステップ４（ＳＴ４）に進む。
【００９２】
ステップ４（ＳＴ４）においては、ステップ３（ＳＴ３）に続き、制御部９が表示データ作成プログラム７を実行することによって、ステップ３（ＳＴ３）において表示不可能と判断されたＴａｇデータに対応する表示データとしての文字データファイルを作成する。
【００９３】
次いで、ステップ５（ＳＴ５）においては、記録部１２によってステップ３（ＳＴ３）で作成した文字データファイルを記録媒体２に記録し、その後、処理を終了する。
【００９４】
このように、図４の処理を経た記録媒体２を再生装置３に搭載して再生を行う場合は、図５に示すように、再生処理の開始後、ステップ１１（ＳＴ１１）に示すように、制御部１４によって記録媒体２にＩＤ３−Ｔａｇが存在するか否かを判断し、存在する場合は、ステップ１２（ＳＴ１２）に進み、存在しない場合は、ステップ１３（ＳＴ１３）に進む。
【００９５】
ステップ１２（ＳＴ１２）においては、制御部１４によってＩＤ３−ＴａｇのＴａｇデータを読み込んで、ステップ１４（ＳＴ１４）に進む。
【００９６】
一方、ステップ１３（ＳＴ１３）においては、表示部４にブランク文字を表示させた後、ステップ２０（ＳＴ２０）に進む。
【００９７】
ステップ１４（ＳＴ１４）においては、制御部１４がフォントデータ格納メモリ１６内のフォントデータを参照することによって、ステップ１２（ＳＴ１２）において読み込んだＴａｇデータが、表示部４によって表示可能なものか否かを判断し、表示可能なものであればステップ１５（ＳＴ１５）に進み、表示不可能なものであればステップ１６（ＳＴ１６）に進む。
【００９８】
ステップ１５（ＳＴ１５）においては、制御部４によってＴａｇデータをコントローラ・ドライバ１５に出力させ、このコントローラ・ドライバ１５によってＴａｇデータを表示部４に表示させた後、ステップ２０（ＳＴ２０）に進む。
【００９９】
一方、ステップ１６（ＳＴ１６）においては、制御部１４によって、ステップ１２（ＳＴ１２）において読み込んだＴａｇデータに対応する文字データファイルを検索する。
【０１００】
次いで、ステップ１７（ＳＴ１７）においては、文字データファイルが存在するか否かを判断し、存在する場合はステップ１８（ＳＴ１８）に進み、存在しない場合はステップ１９（ＳＴ１９）に進む。
【０１０１】
ステップ１８（ＳＴ１８）においては、制御部１４によって文字データファイルをコントローラ・ドライバ１５に出力させ、このコントローラ・ドライバ１５によって文字データファイルの文字データを表示部４に表示させた後、ステップ２０（ＳＴ２０）に進む。
【０１０２】
一方、ステップ１９（ＳＴ１９）においては、制御部１４によって、コントローラ・ドライバ１５に対して表示部４に「Ｎｏ−Ｓｕｐｐｏｒｔｅｄ」の文字を表示させるための制御を行うことによって、付加情報を表示できないことをユーザに通知し、その後、ステップ２０（ＳＴ２０）に進む。
【０１０３】
最後に、ステップ２０（ＳＴ２０）において、ＭＰ３の音声情報を再生して音声出力することによって再生処理を終了する。
【０１０４】
次に、本発明に係る再生システムの第２実施形態について、図６を参照して説明する。
【０１０５】
なお、第１実施形態と基本的構成の同一もしくはこれに類する箇所については、同一の符号を用いて説明する。
【０１０６】
図６に示すように、本実施形態における再生システム２０は、本発明に係る再生装置２１と、この再生装置２１と相互にデータの送受信が可能とされたサーバとしてのアプリケーションサーバ２２とによって構成されている。
【０１０７】
アプリケーションサーバ２２としては、例えば、ＡＳＰ、ＣＧＩ、ＰＨＰまたはサーバーサイドＪａｖａ（登録商標）等のＷｅｂアプリケーションに対応したサーバを挙げることができる。
【０１０８】
再生装置２１は、ＰＣや音楽プレイヤー等の再生装置本体２３を有しており、この再生装置本体２３には、記録媒体２が着脱可能に搭載されるようになっている。
【０１０９】
再生装置本体２３には、ＣＰＵやＭＰＵ等の制御部２４が内蔵されており、この制御部２４は、記録媒体２に記録された情報の再生のための種々の制御を行うようになっている。
【０１１０】
再生装置本体２３には、コントローラ・ドライバ１５が接続されており、このコントローラ・ドライバ１５は、再生装置本体２３の制御部２４による駆動制御によって、表示部４を駆動して付加情報を表示させるようになっている。
【０１１１】
コントローラ・ドライバ１５には、フォントデータ格納メモリ１６が接続されており、このフォントデータ格納メモリ１６には、表示部４によって表示可能な付加情報のフォントデータが格納されている。
【０１１２】
コントローラ・ドライバ１５には、表示部４が接続されており、この表示部４は、制御部２４によるコントローラ・ドライバ１５の制御によって、音楽ファイルにおける音声情報に付随する付加情報を表示するようになっている。
【０１１３】
すなわち、制御部２４は、音楽ファイルを記録媒体２から読み出す際に、音楽ファイルにおける音声情報に付随する付加情報が、表示部４によって表示することができるものか否かを、フォントデータ格納メモリ１６内のフォントデータを参照することによって判断するようになっている。
【０１１４】
そして、制御部２４は、付加情報に対応するフォントデータがフォントデータ格納メモリ１６内に存在する場合は、その付加情報をコントローラ・ドライバ１５に出力する制御を行うようになっている。これによって、コントローラ・ドライバ１５は、付加情報を表示部４により表示させるようになっている。
【０１１５】
また、本実施形態において、制御部２４は、表示部４によって表示することができない付加情報を抽出する抽出手段としても機能するようになっている。
【０１１６】
すなわち、制御部２４は、付加情報に対応するフォントデータがフォントデータ格納メモリ１６内に存在しない場合は、この付加情報が表示部４によって表示することができないものと判断することによって、当該付加情報を抽出するようになっている。
【０１１７】
さらに、制御部２４には、通知手段としての携帯電話等からなる通信部２５が接続されており、この通信部２５は、電話網やＩＰ網等の通信網を介して、制御部２４によって抽出された表示部４により表示することができない付加情報のデータを、アプリケーションサーバ２２に通知するようになっている。
【０１１８】
なお、本実施形態においては、付加情報のデータとともに、再生装置に関する製品名等の製品情報がアプリケーションサーバ２２に通知されるようになっている。
【０１１９】
一方、アプリケーションサーバ２２は、通信部２５によって通知された付加情報に対応する表示データを、Ｗｅｂアプリケーションによって作成するようになっている。なお、表示データの作成に際しては、通信部２５によって通知された製品情報も参酌されるようになっている。
【０１２０】
そして、アプリケーションサーバ２２は、作成した表示データを通信網を介して再生装置２１に送信するようになっている。
【０１２１】
また、アプリケーションサーバ２２は、通信部２５によって通知された付加情報に対応する表示データの作成に成功しなかった場合は、その旨を再生装置２１に送信するようになっている。
【０１２２】
アプリケーションサーバ２２から送信されたデータは、通信部２５によって受信され、受信結果は、制御部２４に出力されるようになっている。
【０１２３】
制御部２４は、アプリケーションサーバ２２から受信した表示データをコントローラ・ドライバ１５に出力する制御を行うようになっている。これによって、コントローラ・ドライバ１５は、当該表示データを表示部４により表示させるようになっている。
【０１２４】
このように、アプリケーションサーバ２２において作成した表示データを再生装置３に送信することによって、記録媒体２に記録されている付加情報が、再生装置３の表示部４により表示することができないものであっても、この付加情報に代替する表示データを適正に表示させることができるようになっている。
【０１２５】
また、本実施形態においては、第１実施形態と異なり、表示データを格納するための領域を記録媒体２に確保することを要しないため、記録媒体２が読み出し専用のものであっても、表示データを適正に表示させることができるようになっている。
【０１２６】
さらに、アプリケーションサーバ２２側のアップグレードにともなって再生装置３に送信することができる表示データを増加させることができ、より多くの付加情報を、これに代替する表示データとして表示させることができる。
【０１２７】
特に、本実施形態においては、データ通信を通じて記録媒体２を再生する時点における最新の表示データをアプリケーションサーバ２２からリアルタイムに取得することもできるため、さらに多くの表示データを表示させることができる。
【０１２８】
なお、制御部２４は、表示データの作成が成功しなかった旨をアプリケーションサーバ２２から受信すると、従来と同様に、「Ｎｏ−Ｓｕｐｐｏｒｔｅｄ」あるいはブランク文字を表示するための制御をコントローラ・ドライバ１５に対して行うことによって、付加情報を表示できない旨をユーザに通知するようになっている。
【０１２９】
また、制御部２４は、音声情報をスピーカ等の出力手段によって音声出力する制御を行うようになっている。
【０１３０】
次に、本発明に係る再生方法の第２実施形態について、図７を参照して説明する。
【０１３１】
なお、本実施形態における再生方法は、図６に示した再生システム２０を用いて行うこととする。
【０１３２】
図７は、本実施形態の再生方法を示すフローチャートである。
【０１３３】
初期状態において、再生装置２１には、記録媒体２が搭載されているものとする。また、記録媒体２には、表示データとしての文字データは記録されていないものとする。
【０１３４】
そして、初期状態から、記録媒体２の再生処理を開始すると、まず、ステップ２１（ＳＴ２１）において、制御部２４によって記録媒体２に付加情報としてのＩＤ３−Ｔａｇが存在するか否かを判断し、存在する場合は、ステップ２２（ＳＴ２２）に進み、存在しない場合は、ステップ２３（ＳＴ２３）に進む。
【０１３５】
ステップ２２（ＳＴ２２）においては、制御部２４によってＩＤ３−ＴａｇのＴａｇデータを読み込んで、ステップ２４（ＳＴ２４）に進む。
【０１３６】
一方、ステップ２３（ＳＴ２３）においては、表示部４にブランク文字を表示させ、その後、ステップ３１（ＳＴ３１）に進む。
【０１３７】
ステップ２４（ＳＴ２４）においては、制御部２４がフォントデータ格納メモリ１６内のフォントデータを参照することによって、ステップ２２（ＳＴ２２）において読み込んだＴａｇデータが、表示部４によって表示可能なものか否かを判断し、表示可能なものであればステップ２５（ＳＴ２５）に進み、表示不可能なものであればステップ２６（ＳＴ２６）に進む。これによって、表示部４により表示することができない付加情報が抽出される。
【０１３８】
ステップ２５（ＳＴ２５）においては、制御部２４によりＴａｇデータをコントローラ・ドライバ１５に出力させ、このコントローラ・ドライバ１５によってＴａｇデータを表示部４に表示させた後、ステップ３１（ＳＴ３１）に進む。
【０１３９】
一方、ステップ２６（ＳＴ２６）においては、ステップ２４（ＳＴ２４）において抽出された付加情報および再生装置２１の製品情報を通信部２５を介してアプリケーションサーバ２２に通知する。
【０１４０】
そして、アプリケーションサーバ２２においては、通知された付加情報に対応する表示データとしての文字データを作成するとともに、作成した文字データを再生装置２１に送信する。なお、文字データを作成することができなかった場合は、その旨を再生装置２１に送信する。
【０１４１】
次いで、ステップ２７（ＳＴ２７）において、アプリケーションサーバ２２から送信された文字データを通信部２５を介して受信する。
【０１４２】
次いで、ステップ２８（ＳＴ２８）において、制御部２４により、アプリケーションサーバ２２からの受信結果に基づいて、文字データの作成が成功したか否かを判断し、成功した場合はステップ２９（ＳＴ２９）に進み、成功しなかった場合は、ステップ３０（ＳＴ３０）に進む。
【０１４３】
ステップ２９（ＳＴ２９）においては、制御部２４によって文字データをコントローラ・ドライバ１５に出力させ、このコントローラ・ドライバ１５によって文字データを表示部４に表示させた後、ステップ３１（ＳＴ３１）に進む。
【０１４４】
一方、ステップ３０（ＳＴ３０）においては、制御部２４によって、コントローラ・ドライバ１５に対して表示部４に「Ｎｏ−Ｓｕｐｐｏｒｔｅｄ」の文字を表示させるための制御を行うことによって、付加情報を表示できないことをユーザに通知し、その後、ステップ３１（ＳＴ３１）に進む。
【０１４５】
最後に、ステップ３１（ＳＴ３１）において、ＭＰ３の音声情報を再生して音声出力することによって再生処理を終了する。
【０１４６】
なお、本発明は、前述した実施の形態に限定されるものではなく、必要に応じて種々の変更が可能である。
【０１４７】
例えば、表示データは、文字データに限らず、記号ないしは簡易な図形等についてのデータあるいはこれらの組み合わせであってもよい。
【０１４８】
また、表示データとしては、ビットマップデータに限らず、ラスタデータ等の、ビットマップデータと同様に文字をドットの集合で表すフォントのデータもしくは少なくともアウトライン・フォントデータやベクタ・フォントデータよりも微細な単位で文字を表示することができるデータを採用してもよい。
【０１４９】
さらに、通知手段としては、先に例示した携帯電話以外にも、インターネットやbluetooth等の種々の機構を採用することができる。
【０１５０】
さらにまた、必要に応じて、再生装置３，２１のフォントデータ格納メモリ１６内に、表示データのフォントを新たに追記するようにしてもよい。
【図面の簡単な説明】
【０１５１】
【図１】本発明に係る再生システムの第１実施形態を示したブロック図
【図２】本発明に係る再生システムの第１実施形態において、ビットマップ方式の表示データによって表示される文字の一例を示した図
【図３】本発明に係る再生システムの第１実施形態において、ビットマップ方式の表示データによって表示される図２と異なる文字の一例を示した図
【図４】本発明に係る再生方法の第１実施形態において、表示データの作成・記録処理を示したフローチャート
【図５】本発明に係る再生方法の第１実施形態において、記録媒体の再生処理を示したフローチャート
【図６】本発明に係る再生システムの第２実施形態を示したブロック図
【図７】本発明に係る再生方法の第２実施形態を示したフローチャート
【図８】従来から用いられていた再生装置における表示部の一例を示した図
【図９】図８の表示部によって表示される文字の一覧を例示した図
【図１０】従来から用いられていた再生装置における表示部の図８と異なる他の一例を示した図
【図１１】図１０の表示部によって表示される文字の一覧を例示した図
【符号の説明】
【０１５２】
１  再生システム  
２  記録媒体
３  再生装置  
４  表示部
５  コンピュータ
７  表示データ作成プログラム
８  プログラム格納部
９  制御部
１０  表示データ格納部
１２  記録部
１３  再生装置本体
２０  再生システム
２１  再生装置
２２  アプリケーションサーバ
２３  再生装置本体
２４  制御部
２５  通信部
【図１】
2005276256.tif 000003
【図２】
2005276256.tif 000004
【図３】
2005276256.tif 000005
【図４】
2005276256.tif 000006
【図５】
2005276256.tif 000007
【図６】
2005276256.tif 000008
【図７】
2005276256.tif 000009
【図８】
2005276256.tif 000010
【図９】
2005276256.tif 000011
【図１０】
2005276256.tif 000012
【図１１】
2005276256.tif 000013